(57)【要約】【課題】  チャネルサーチにおける誤判定防止、及び／又はチャネルサーチ時間を短縮することを課題とする。【解決手段】チャネルサーチ時及び通常受信時で通過周波数帯域を変えて信号をフィルタリングするフィルタ（１１２）と、フィルタリングされた信号を基に直交波周波数分割多重復調を行う復調処理部（１１４）とを有する復調装置が提供される。また、入力信号を基に同期処理する同期処理部と（１１５）、同期処理された信号を基に直交波周波数分割多重復調を行う復調処理部（１１４）とを有し、同期処理部は、入力信号を遅延させた信号と入力信号との相関値を演算し、相関値が所定条件を満たしているときには同期処理を行う復調装置が提供される。【選択図】        図１
2007036684.tif 000002
【特許請求の範囲】
【請求項１】
チャネルサーチ時及び通常受信時で通過周波数帯域を変えて信号をフィルタリングするフィルタと、
前記フィルタリングされた信号を基に直交波周波数分割多重復調を行う復調処理部と
を有する復調装置。
【請求項２】
さらに、前記フィルタリングされた信号を基に同期処理する同期処理部と、
前記復調された信号を基に同期信号の検出を行うフレーム同期処理部と、
前記同期信号が検出されたときには、前記復調された信号を基にＴＭＣＣ（Transmission and Multiplexing Configuration Control）情報を検出するＴＭＣＣ検出部とを有し、
前記復調処理部は、前記同期処理された信号を基に直交波周波数分割多重復調を行う請求項１記載の復調装置。
【請求項３】
前記同期処理部は、入力信号を遅延させた信号と前記入力信号との相関値を演算し、前記相関値が所定条件を満たしているときには同期処理を行う請求項２記載の復調装置。
【請求項４】
前記復調処理部は、前記同期処理後、前記フィルタリングされた信号内の基準信号の周波数配置が所定条件を満たしているときに直交波周波数分割多重復調を行う請求項３記載の復調装置。
【請求項５】
さらに、前記検出されたＴＭＣＣ情報及びチャネル情報を対応させて記録するように制御する記録制御部を有する請求項４記載の復調装置。
【請求項６】
さらに、前記検出されたＴＭＣＣ情報を基に前記復調された信号を誤り訂正する誤り訂正処理部を有する請求項５記載の復調装置。
【請求項７】
前記ＴＭＣＣ検出部は、チャネルサーチ時にはＴＭＣＣ情報を検出し、通常受信時にはＴＭＣＣ情報を検出せず、
前記誤り訂正処理部は、通常受信時には、前記記録されたＴＭＣＣ情報を基に誤り訂正を行う請求項６記載の復調装置。
【請求項８】
入力信号を基に同期処理する同期処理部と、
前記同期処理された信号を基に直交波周波数分割多重復調を行う復調処理部とを有し、
前記同期処理部は、入力信号を遅延させた信号と前記入力信号との相関値を演算し、前記相関値が所定条件を満たしているときには同期処理を行う復調装置。
【請求項９】
前記復調処理部は、入力信号内の基準信号の周波数配置が所定条件を満たしているときに直交波周波数分割多重復調を行う請求項８記載の復調装置。
【請求項１０】
入力信号を基に同期処理する同期処理部と、
前記同期処理された信号を基に直交波周波数分割多重復調を行う復調処理部とを有し、
前記復調処理部は、入力信号内の基準信号の周波数配置が所定条件を満たしているときに直交波周波数分割多重復調を行う復調装置。
【発明の詳細な説明】
【技術分野】
【０００１】
本発明は、復調装置に関する。
【背景技術】
【０００２】
図１０は、直交波周波数分割多重（ＯＦＤＭ）復調装置１００１の構成例を示す図である。地上波デジタル放送のテレビジョン受信装置には、ＯＦＤＭ復調装置１００１が設けられる。ＯＦＤＭ復調装置１００１は、Ａ／Ｄ変換部１００２、復調処理部１００３、同期処理部１００４、誤り訂正処理部１００５、フレーム同期処理及びＴＭＣＣ検出部１００６、並びに制御回路１００７を有する。
【０００３】
図１１は、チャネルサーチの処理を示すフローチャートである。チャネルサーチは、受信可能なチャネルをサーチする処理であり、例えば、テレビジョン受信装置の設置時に１回行えばよい。
【０００４】
ステップＳ１１０１において、チャネルサーチの開始が指示されると、以下の処理が行われる。ステップＳ１１０２では、制御回路１００７が外部のチューナに対して受信チャネルを指示する。例えば、第１チャネルの受信を指示する。すると、チューナは、そのチャネルの信号をＡ／Ｄ変換部１００２に出力する。Ａ／Ｄ変換部１００２は、入力信号をアナログ形式からデジタル形式に変換し、同期処理部１００４及び復調処理部１００３に出力する。
【０００５】
次に、ステップＳ１１０３では、同期処理部１００４がＡ／Ｄ変換部１００２の出力信号を基に同期処理を行う。次に、ステップＳ１１０４では、復調処理部１００３は、Ａ／Ｄ変換部１００２及び同期処理部１００４の出力信号を基に所定のタイミングで復調処理を行い、フレーム同期処理及びＴＭＣＣ検出部１００６並びに誤り訂正処理部１００５に出力する。復調処理は、ＯＦＤＭ復調及び位相復調を含む。
【０００６】
次に、ステップＳ１１０５では、フレーム同期処理部１００６が復調処理部１００３の出力信号を基にフレーム同期処理を行う。具体的には、フレーム同期処理部１００６は、復調処理部１００３の出力信号内の同期信号（同期バイト）を検出する。同期信号を検出できないときには、そのチャネルは受信不可と判定して、ステップＳ１００２に戻る。ステップＳ１００２では、次のチャネル（例えば第２チャネル）を設定し、同様の処理を繰り返す。
【０００７】
同期信号が検出されたときには、フレーム同期処理を行い、ステップＳ１１０６へ進む。ステップＳ１１０６では、ＴＭＣＣ検出部１００６は、復調処理部１００３の出力信号内のＴＭＣＣ（Transmission and Multiplexing Configuration Control）情報を検出する。ＴＭＣＣ情報は、位相（キャリア）変調方式の情報を含む。
【０００８】
次に、ステップＳ１１０７では、そのチャネルのＩＳＤＢ−Ｔ（Integrated Services Digital Broadcasting-Terrestrial）信号を受信可能であると判定する。ＩＳＤＢ−Ｔ信号は、地上波デジタル放送の規格による受信信号であり、ＯＦＤＭ変調方式を採用している。その後、ステップＳ１００２に戻る。ステップＳ１００２では、次のチャネル（例えば第２チャネル）を設定し、同様の処理を繰り返す。上記の処理をすべてのチャネルについて繰り返すことにより、受信可能なチャネルをサーチすることができる。
【０００９】
通常受信時には、ユーザがチャネルを指定すると、チューナが指定されたチャネルのＩＳＤＢ−Ｔ信号をＯＦＤＭ復調装置１００１に出力する。その後、図１１のステップＳ１１０３〜Ｓ１１０６の処理を行う。その後、誤り訂正処理部１００５は、復調処理部１００３並びにフレーム同期処理及びＴＭＣＣ検出部１００６の出力信号を基に誤り訂正を行う。具体的には、誤り訂正処理部１００５は、ＴＭＣＣ検出部１００６で検出されたＴＭＣＣ情報を使用して、復調処理部１００３の出力信号を誤り訂正し、ＭＰＥＧ２トランスポートストリーム（Transport Stream）を出力する。ＭＰＥＧ２トランスポートストリームは、ＭＰＥＧ２デコーダでデコードされ、画像及び音声が再生される。
【００１０】
下記の特許文献１には、ＮＴＳＣ信号の映像周波数をセンタとする一定帯域を設定し、この一定帯域内の電力ピーク値と全域の電力値を測定し、受信したチャネルの放送信号がアナログ放送波かデジタル放送波かを判定する放送信号識別装置が記載されている。
【００１１】
また、下記の特許文献２には、復調処理によりＴＭＣＣ信号が得られたか否かによって、選局したチャネルにおけるデジタル放送の有無を仮判定し、デジタル放送の有状態が仮判定された状態で、選局情報抽出処理によりセクション情報（ＮＩＴ）が得られたか否かにより、選局したチャネルにおけるデジタル放送の有無を判定する放送受信装置が記載されている。
【００１２】
また、下記の特許文献３には、地上波デジタル受信装置を設置する際に行うチャネルサーチを行う際に、アナログ放送波検出手段で検出された検出信号をもとに、該当チャネルでのデジタル放送用のフロントエンド部でのサーチをスキップできる地上デジタル放送受信装置が記載されている。
【００１３】
また、下記の特許文献４には、ＩＳＤＢ−Ｔ規格のＯＦＤＭ受信装置が、各放送局に対応させてＴＭＣＣ情報を予めメモリにプリセットしておき、ユーザが放送局を選択すると、制御回路がその放送局に対応したＴＭＣＣ情報をメモリから読み出し、受信動作開始とともに、読み出した上記ＴＭＣＣ情報を各回路に与え、例えばガードインターバルやキャリア変調方式等の設定を行う受信装置が記載されている。
【００１４】
【特許文献１】特開２００３−２３４９７５号公報
【特許文献２】特開２００４−３６３８０６号公報
【特許文献３】特開２００３−６９９０７号公報
【特許文献４】特開２００１−２９２１２１号公報
【発明の開示】
【発明が解決しようとする課題】
【００１５】
しかしながら、図１１において、すべてのチャネルについて、チャネル設定後、ステップＳ１１０３の同期処理、ステップＳ１１０４の復調処理、ステップＳ１１０５のフレーム同期処理を行う必要があるため、１チャネルあたりのサーチ時間が長くなってしまう。また、アナログテレビ放送のＮＴＳＣ（National Television Standards Committee）信号等の影響により、チャネルサーチにおいて誤判定する可能性がある。
【００１６】
本発明の目的は、チャネルサーチにおける誤判定防止、及び／又はチャネルサーチ時間を短縮することである。
【課題を解決するための手段】
【００１７】
本発明の復調装置は、チャネルサーチ時及び通常受信時で通過周波数帯域を変えて信号をフィルタリングするフィルタと、フィルタリングされた信号を基に直交波周波数分割多重復調を行う復調処理部とを有する。
【００１８】
また、本発明の復調装置は、入力信号を基に同期処理する同期処理部と、同期処理された信号を基に直交波周波数分割多重復調を行う復調処理部とを有し、同期処理部は、入力信号を遅延させた信号と入力信号との相関値を演算し、相関値が所定条件を満たしているときには同期処理を行う。
【００１９】
また、本発明の復調装置は、入力信号を基に同期処理する同期処理部と、同期処理された信号を基に直交波周波数分割多重復調を行う復調処理部とを有し、復調処理部は、入力信号内の基準信号の周波数配置が所定条件を満たしているときに直交波周波数分割多重復調を行う。
【発明の効果】
【００２０】
ＮＴＳＣ信号等の不要な信号をフィルタにより除去することができるので、チャネルサーチにおける誤判定を防止することができる。また、所定条件を満たしているときに、同期処理又は復調を行うことにより、チャネルサーチ時間を短縮することができる。
【発明を実施するための最良の形態】
【００２１】
図１は、本発明の実施形態によるテレビジョン受信装置１０１の構成例を示す図である。テレビジョン受信装置１０１は、ＯＦＤＭ復調装置１０２、チューナ１０３、ＭＰＥＧ２デコーダ１０４及びメモリ１０５を有し、地上波デジタル放送のＩＳＤＢ−Ｔ信号を受信することができる。ＯＦＤＭ復調装置１０２は、Ａ／Ｄ変換部１１１、ＦＩＲ（Finite Impulse Response）型デジタルフィルタ１１２、セレクタ１１３、復調処理部１１４、同期処理部１１５、誤り訂正処理部１１６、フレーム同期処理及びＴＭＣＣ検出部１１７、並びに制御回路１１８を有する。
【００２２】
図２は、チャネルサーチの処理を示すフローチャートである。チャネルサーチは、受信可能なチャネルをサーチする処理であり、例えば、テレビジョン受信装置１０１の設置時に１回行えばよい。
【００２３】
ステップＳ２０１において、チャネルサーチの開始が指示されると、以下の処理が行われる。ステップＳ２０２では、フィルタ設定を行う。制御信号１２１は、チャネルサーチモード又は通常受信モードのいずれかを指示する。セレクタ１１３は、制御信号１２１がチャネルサーチモードを指示しているときにはフィルタ係数ＫｂをＦＩＲ型デジタルフィルタ１１２に設定し、制御信号１２１が通常受信モードを指示しているときにはフィルタ係数ＫａをＦＩＲ型デジタルフィルタ１１２に設定する。チャネルサーチ時には、チャネルサーチモードが指示されているので、ＦＩＲ型デジタルフィルタ１１２には、フィルタ係数Ｋａが設定される。
【００２４】
図３は、ＦＩＲ型デジタルフィルタ１１２の通過周波数帯域を示す周波数スペクトルの図である。現在、地上波デジタル放送及び地上波アナログ放送が並存している。ＩＳＤＢ−Ｔ信号３０３は地上波デジタル放送信号であり、ＮＴＳＣ信号３０５及び３０６が地上波アナログ放送信号である。ＮＴＳＣ信号３０５は映像搬送波、ＮＴＳＣ信号３０６は音声搬送波である。ＩＳＤＢ−Ｔ信号３０３は、復調対象の信号であり、所定周波数間隔（定期的）の複数のＴＭＣＣ信号３０４を有する。
【００２５】
ＩＳＤＢ−Ｔ信号３０３は、１チャネルＣＨの周波数帯幅が６ＭＨｚである。通常受信時には、セレクタ１１３は、フィルタ係数ＫａをＦＩＲ型デジタルフィルタ１１２に設定する。すると、ＦＩＲ型デジタルフィルタ１１２は、通過周波数帯域３０１が設定され、１チャネルＣＨ分の信号Ｐａのみを通過させる。
【００２６】
ＩＳＤＢ−Ｔ信号３０３及びＮＴＳＣ信号３０５，３０６は、周波数帯域が重なっている。ＩＳＤＢ−Ｔ信号３０３のチャネルサーチ時には、ＮＴＳＣ信号３０５及び３０６が邪魔になり、チャネルサーチの誤判定の原因になる。そこで、チャネルサーチ時には、セレクタ１１３は、フィルタ係数ＫｂをＦＩＲ型デジタルフィルタ１１２に設定する。すると、ＦＩＲ型デジタルフィルタ１１２は、通過周波数帯域３０２が設定され、信号Ｐｂのみを通過させる。信号Ｐｂ内には一又は複数のＴＭＣＣ信号３０４が含まれているため、信号Ｐｂを基にチャネルサーチを行うことができる。ＦＩＲ型デジタルフィルタ１１２によりＮＴＳＣ信号３０５及び３０６を除去（減衰）し、信号Ｐｂを基にチャネルサーチを行うことにより、チャネルサーチにおける誤判定を防止することができる。
【００２７】
ＦＩＲ型デジタルフィルタ１１２は、チャネルサーチ時及び通常受信時で通過周波数帯域を変えて信号をフィルタリングする。また、ＦＩＲ型デジタルフィルタ１１２は、通常受信時及びチャネルサーチ時のフィルタを兼用するため回路規模を小さくすることができる。
【００２８】
次に、図２のステップＳ２０３では、制御回路１１８がチューナ１０３に対して受信チャネルを指示する。例えば、第１チャネルの受信を指示する。すると、チューナ１０３は、そのチャネルのＩＳＤＢ−Ｔ信号をＡ／Ｄ変換部１１１に出力する。Ａ／Ｄ変換部１１１は、入力信号をアナログ形式からデジタル形式に変換し、ＦＩＲ型デジタルフィルタ１１２に出力する。ＦＩＲ型デジタルフィルタ１１２は、通過周波数帯域３０２が設定され、入力信号をフィルタリングすることにより信号Ｐｂのみを通過させ、同期処理部１１５及び復調処理部１１４に出力する。
【００２９】
次に、ステップＳ２０４では、同期処理部１１５がガードインターバルの相関があるか否かを判定する。相関があればステップＳ２０５へ進み、相関がなければそのチャネルは受信不可と判定してステップＳ２０３へ戻る。ステップＳ２０３では、次のチャネル（例えば第２チャネル）を設定し、同様の処理を繰り返す。このように、相関がない場合には、ステップＳ２０５の同期処理、ステップＳ２０７の復調処理及びステップＳ２０８のフレーム同期処理を行わずに、次のチャネルのサーチ処理を行うことができるので、チャネルサーチ時間を短縮することができる。以下、同期処理部１１５の詳細な処理を説明する。
【００３０】
図４は、同期処理部１１５の一部の構成例を示す図である。入力信号Ａ４１１は、ＦＩＲ型デジタルフィルタ１１２の出力信号である。遅延処理部４０１は、入力信号Ａ４１１を約１シンボル分遅延させた信号Ａ４１２を出力する。
【００３１】
図５は、入力信号Ａ４１１及び遅延信号Ａ４１２の１シンボル分を示す図である。受信信号は、直接信号の他に、遅延信号（建物等に反射して届く信号）を含んでいる。直接信号及び遅延信号を分離するため、ＩＳＤＢ−Ｔ信号Ａ４１１は、シンボルの後端部５０２を先端部５０１にコピーしている。このようにして、信号を巡回的な構成にするのがガードインターバルである。したがって、入力信号Ａ４１１の後端部５０２と遅延信号Ａ４１２の先端部５０１とは同じであり、このガードインターバル期間の両者の相関値は高い。相関値が高ければそのチャネルのＩＳＤＢ−Ｔ信号を受信可能である可能性が高く、相関値が低ければそのチャネルのＩＳＤＢ−Ｔ信号を受信不可であると判定することができる。
【００３２】
図４において、相関処理部４０２は、入力信号Ａ４１１及び遅延信号Ａ４１２のガードインターバル期間の相関値を演算する。ピーク検出部４０３は、上記の相関値の移動平均（積分）をとり、そのピーク値を検出する。比較部４０５は、そのピーク値と閾値４０４とを比較し、比較結果を出力する。ピーク値が閾値４０４を超えているときには、相関があるとして、図２のステップＳ２０５へ進む。ピーク値が閾値４０４以下であるときには、相関がないとして、図２のステップＳ２０３へ戻る。
【００３３】
ステップＳ２０５では、同期処理部１１５がＦＩＲ型デジタルフィルタ１１２の出力信号を基に同期処理を行う。
【００３４】
次に、ステップＳ２０６では、復調処理部１１４が入力信号内の基準信号の数及び周波数配置が所定のものと相関があるか否かを判定する。基準信号は、ＴＭＣＣ信号及び／又はＡＣ（Auxiliary Channel）信号である。ＡＣ信号は、予備信号である。相関があればステップＳ２０７へ進み、相関がなければそのチャネルは受信不可と判定し、ステップＳ２０３へ戻る。ステップＳ２０３では、次のチャネル（例えば第２チャネル）を設定し、同様の処理を繰り返す。このように、相関がない場合には、ステップＳ２０７の復調処理及びステップＳ２０８のフレーム同期処理を行わずに、次のチャネルのサーチ処理を行うことができるので、チャネルサーチ時間を短縮することができる。以下、復調処理部１１４の詳細な処理を説明する。
【００３５】
図６は、復調処理部１１４の一部の構成例を示す図である。高速フーリエ変換（ＦＦＴ）処理部６０１は、ＦＦＴにより入力信号を周波数成分の信号に変換し、ＡＣ及びＴＭＣＣ処理部６０２に出力する。例えば、図３の周波数軸の信号Ｐｂが得られる。ＡＣ及びＴＭＣＣ処理部６０２は、入力信号内のＡＣ信号及びＴＭＣＣ信号Ａ６１１を検出する。相関処理部６０４は、ＡＣ信号及びＴＭＣＣ信号Ａ６１１の数及び周波数配置と所定のＡＣ信号及びＴＭＣＣ信号の数及び周波数配置情報６０３との相関値を演算する。ピーク検出部６０５は、上記の相関値の移動平均（積分）をとり、そのピーク値を検出する。比較部６０７は、そのピーク値と閾値６０６とを比較し、比較結果を出力する。ピーク値が閾値６０６を超えているときには、相関があるとして、図２のステップＳ２０７へ進む。ピーク値が閾値６０６以下であるときには、相関がないとして、図２のステップＳ２０３へ戻る。
【００３６】
ステップＳ２０７では、復調処理部１１４は、ＦＩＲ型デジタルフィルタ１１２及び同期処理部１１５の出力信号を基に所定のタイミングで復調処理を行い、フレーム同期処理及びＴＭＣＣ検出部１１７並びに誤り訂正処理部１１６に出力する。復調処理は、ＯＦＤＭ復調及び位相復調を含む。
【００３７】
次に、ステップＳ２０８では、フレーム同期処理部１１７が復調処理部１１４の出力信号を基にフレーム同期処理を行う。１フレームは、２０４シンボルからなる。具体的には、フレーム同期処理部１１７は、復調処理部１１４の出力信号内の同期信号（同期バイト）を検出する。同期信号を検出できないときには、そのチャネルは受信不可と判定して、ステップＳ２０３に戻る。ステップＳ２０３では、次のチャネル（例えば第２チャネル）を設定し、同様の処理を繰り返す。同期信号が検出されたときには、フレーム同期処理を行い、ステップＳ２０９へ進む。以下、フレーム同期処理部１１７の詳細な処理を説明する。
【００３８】
図７は、フレーム同期処理部１１７の一部の構成例を示す図である。入力信号Ａ６１１は、図６のＡＣ及びＴＭＣＣ処理部６０２が出力するＡＣ信号及びＴＭＣＣ信号である。比較部７０２は、ＡＣ信号及びＴＭＣＣ信号Ａ６１１内の同期信号（同期バイト）と所定の同期信号（同期バイト）７０１とが同じ値であるか否かを比較し、その比較結果を出力する。同じ値であるときには、同期信号を検出できたとして、図２のステップＳ２０９へ進む。同じ値でないときには、同期信号を検出できないとして、図２のステップＳ２０３へ戻る。
【００３９】
ステップＳ２０９では、ＴＭＣＣ検出部１１７が復調処理部１１４の出力信号のＴＭＣＣ信号内のＴＭＣＣ情報を検出する。ＴＭＣＣ情報は、位相（キャリア）変調方式の情報を含む。
【００４０】
次に、ステップＳ２１０では、そのチャネルのＩＳＤＢ−Ｔ信号を受信可能である判定する。ＩＳＤＢ−Ｔ信号は、地上波デジタル放送の規格による受信信号であり、ＯＦＤＭ変調方式を採用している。制御回路１１８は、受信可能を示す信号１２２を入力すると、メモリ１０５に対してそのチャネルが受信可能であることを記録制御する。また、制御回路１１８は、図８に示すように、メモリ１０５にチャネル情報（番号）８０１及びＴＭＣＣ情報８０２を対応させて記録するように制御する。ＴＭＣＣ情報８０２は、ステップＳ２０９で検出されたＴＭＣＣ情報である。
【００４１】
その後、ステップＳ２０３に戻る。ステップＳ２０３では、次のチャネル（例えば第２チャネル）を設定し、同様の処理を繰り返す。上記の処理をすべてのチャネルについて繰り返すことにより、受信可能なチャネルをサーチすることができる。
【００４２】
ステップＳ２０４、Ｓ２０６及びＳ２０８において、そのチャネルが受信不可であると判定されたときには、制御回路１１８は、その旨の制御信号１２２を入力し、メモリ１０５に対してそのチャネルが受信不可であることを記録制御することができる。ステップＳ２０４、Ｓ２０６及びＳ２０８の判定結果信号１２２は、それぞれ制御回路１１８によるチューナ１０３のチャネル制御に使用される。
【００４３】
図９は、通常受信の処理を示すフローチャートである。上記のチャネルサーチ終了後、通常受信によりＩＳＤＢ−Ｔ信号を受信し、画像及び音声を再生することができる。
【００４４】
ステップＳ９０１において、通常受信の開始が指示されると、以下の処理が行われる。ステップＳ９０２では、フィルタ設定を行う。セレクタ１１３は、フィルタ係数ＫａをＦＩＲ型デジタルフィルタ１１２に設定する。すると、ＦＩＲ型デジタルフィルタ１１２は、通過周波数帯域３０１が設定され、信号Ｐａのみを通過させる。
【００４５】
次に、ステップＳ９０３では、ユーザがチャネルを指定すると、チューナ１０３が指定されたチャネルのＩＳＤＢ−Ｔ信号をＯＦＤＭ復調装置１０２のＡ／Ｄ変換部１１１に出力する。Ａ／Ｄ変換部１１１は、入力信号をアナログ形式からデジタル形式に変換し、ＦＩＲ型デジタルフィルタ１１２に出力する。ＦＩＲ型デジタルフィルタ１１２は、通過周波数帯域３０１が設定され、入力信号をフィルタリングすることにより信号Ｐａのみを通過させ、同期処理部１１５及び復調処理部１１４に出力する。
【００４６】
次に、ＴＭＣＣ設定を行う。制御回路１１８は、該当チャネルに対応するＴＭＣＣ情報８０２（図８）をメモリ１０５から読み出して設定する。具体的には、ＴＭＣＣ検出部１１７は、その読み出されたＴＭＣＣ情報８０２を誤り訂正処理部１１６に設定することができる。
【００４７】
次に、ステップＳ９０４では、図２のステップＳ２０５と同様の同期処理を行う。次に、ステップＳ９０５では、ステップＳ２０７と同様の復調処理を行う。次に、ステップＳ９０６では、ステップＳ２０８と同様のフレーム同期処理を行う。
【００４８】
次に、ステップＳ９０７では、誤り訂正処理部１１６が復調処理部１１４並びにフレーム同期処理及びＴＭＣＣ検出部１１７の出力信号を基に誤り訂正を行う。具体的には、誤り訂正処理部１１６は、ステップＳ９０３で設定されたＴＭＣＣ情報８０２を使用して、復調処理部１１４の出力信号を誤り訂正し、ＭＰＥＧ２トランスポートストリームをＭＰＥＧ２デコーダ１０４に出力する。ＭＰＥＧ２デコーダ１０４は、ＭＰＥＧ２トランスポートストリームをデコードし、画像及び音声が再生される。
【００４９】
なお、通常、ステップＳ９０６及びＳ９０７の間で、図２のステップＳ２０９のＴＭＣＣ検出処理を行う。その後、ステップＳ９０７では、そこで検出されたＴＭＣＣ情報を使用して誤り訂正を行う。しかし、本実施形態では、ステップＳ９０３において、ＴＭＣＣの設定を行っているため、ステップＳ９０６及びＳ９０７の間のＴＭＣＣ検出処理が不要になる。そのため、通常受信処理を簡単かつ高速にすることができる。ＴＭＣＣ検出部１１７は、図２のチャネルサーチ時には入力信号内のＴＭＣＣ情報を検出し、通常受信時にはＴＭＣＣ情報を検出しない。通常受信時には、メモリ１０５内のＴＭＣＣ情報を使用する。
【００５０】
以上のように、本実施形態によれば、不要なＮＴＳＣ信号３０５，３０６をフィルタ１１２により除去することができるので、チャネルサーチにおける誤判定を防止することができる。また、図２のステップＳ２０４及びＳ２０６の判定が所定条件を満たしているときにのみ、ステップＳ２０５の同期処理及び／又はステップＳ２０７の復調を行う。所定条件を満たしていないときには、上記の同期処理及び／又は復調の余計な処理を行わなくてすむので、チャネルサーチ時間を大幅に短縮することができる。
【００５１】
なお、図２のステップＳ２０４及びＳ２０６の判定は、いずれか片方だけ行ってもよい。その場合にも、チャネルサーチ時間短縮の効果を得ることができる。
【００５２】
上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【００５３】
本発明の実施形態は、例えば以下のように種々の適用が可能である。
【００５４】
（付記１）
チャネルサーチ時及び通常受信時で通過周波数帯域を変えて信号をフィルタリングするフィルタと、
前記フィルタリングされた信号を基に直交波周波数分割多重復調を行う復調処理部と
を有する復調装置。
（付記２）
さらに、前記フィルタリングされた信号を基に同期処理する同期処理部と、
前記復調された信号を基に同期信号の検出を行うフレーム同期処理部と、
前記同期信号が検出されたときには、前記復調された信号を基にＴＭＣＣ（Transmission and Multiplexing Configuration Control）情報を検出するＴＭＣＣ検出部とを有し、
前記復調処理部は、前記同期処理された信号を基に直交波周波数分割多重復調を行う付記１記載の復調装置。
（付記３）
前記ＴＭＣＣ情報は、位相変調方式の情報を含む付記２記載の復調装置。
（付記４）
前記同期処理部は、入力信号を遅延させた信号と前記入力信号との相関値を演算し、前記相関値が所定条件を満たしているときには同期処理を行う付記３記載の復調装置。
（付記５）
前記復調処理部は、前記同期処理後、前記フィルタリングされた信号内の基準信号の周波数配置が所定条件を満たしているときに直交波周波数分割多重復調を行う付記４記載の復調装置。
（付記６）
前記基準信号は、ＴＭＣＣ信号及び／又はＡＣ（Auxiliary Channel）信号である付記５記載の復調装置。
（付記７）
さらに、前記検出されたＴＭＣＣ情報及びチャネル情報を対応させて記録するように制御する記録制御部を有する付記６記載の復調装置。
（付記８）
さらに、前記検出されたＴＭＣＣ情報を基に前記復調された信号を誤り訂正する誤り訂正処理部を有する付記７記載の復調装置。
（付記９）
前記ＴＭＣＣ検出部は、チャネルサーチ時にはＴＭＣＣ情報を検出し、通常受信時にはＴＭＣＣ情報を検出せず、
前記誤り訂正処理部は、通常受信時には、前記記録されたＴＭＣＣ情報を基に誤り訂正を行う付記８記載の復調装置。
（付記１０）
前記復調処理部は、前記同期処理後、前記フィルタリングされた信号内の基準信号の周波数配置が所定条件を満たしているときに直交波周波数分割多重復調を行う付記２記載の復調装置。
（付記１１）
前記基準信号は、ＴＭＣＣ信号及び／又はＡＣ（Auxiliary Channel）信号である付記１０記載の復調装置。
（付記１２）
さらに、前記検出されたＴＭＣＣ情報及びチャネル情報を対応させて記録するように制御する記録制御部を有する付記１１記載の復調装置。
（付記１３）
さらに、前記検出されたＴＭＣＣ情報を基に前記復調された信号を誤り訂正する誤り訂正処理部を有する付記１２記載の復調装置。
（付記１４）
前記ＴＭＣＣ検出部は、チャネルサーチ時にはＴＭＣＣ情報を検出し、通常受信時にはＴＭＣＣ情報を検出せず、
前記誤り訂正処理部は、通常受信時には、前記記録されたＴＭＣＣ情報を基に誤り訂正を行う付記１３記載の復調装置。
（付記１５）
入力信号を基に同期処理する同期処理部と、
前記同期処理された信号を基に直交波周波数分割多重復調を行う復調処理部とを有し、
前記同期処理部は、入力信号を遅延させた信号と前記入力信号との相関値を演算し、前記相関値が所定条件を満たしているときには同期処理を行う復調装置。
（付記１６）
さらに、前記復調された信号を基に同期信号の検出を行うフレーム同期処理部と、
前記同期信号が検出されたときには、前記復調された信号を基にＴＭＣＣ（Transmission and Multiplexing Configuration Control）情報を検出するＴＭＣＣ検出部とを有する付記１５記載の復調装置。
（付記１７）
前記復調処理部は、入力信号内の基準信号の周波数配置が所定条件を満たしているときに直交波周波数分割多重復調を行う付記１６記載の復調装置。
（付記１８）
前記基準信号は、ＴＭＣＣ信号及び／又はＡＣ（Auxiliary Channel）信号である付記１７記載の復調装置。
（付記１９）
入力信号を基に同期処理する同期処理部と、
前記同期処理された信号を基に直交波周波数分割多重復調を行う復調処理部とを有し、
前記復調処理部は、入力信号内の基準信号の周波数配置が所定条件を満たしているときに直交波周波数分割多重復調を行う復調装置。
（付記２０）
前記基準信号は、ＴＭＣＣ信号及び／又はＡＣ（Auxiliary Channel）信号である付記１９記載の復調装置。
【図面の簡単な説明】
【００５５】
【図１】本発明の実施形態によるテレビジョン受信装置の構成例を示す図である。
【図２】チャネルサーチの処理を示すフローチャートである。
【図３】ＦＩＲ型デジタルフィルタの通過周波数帯域を示す周波数スペクトルの図である。
【図４】同期処理部の一部の構成例を示す図である。
【図５】入力信号及び遅延信号の１シンボル分を示す図である。
【図６】復調処理部の一部の構成例を示す図である。
【図７】フレーム同期処理部の一部の構成例を示す図である。
【図８】チャネル情報及びＴＭＣＣ情報を記憶するメモリの構成例を示す図である。
【図９】通常受信の処理を示すフローチャートである。
【図１０】ＯＦＤＭ復調装置の構成例を示す図である。
【図１１】チャネルサーチの処理を示すフローチャートである。
【符号の説明】
【００５６】
１０１  テレビジョン受信装置
１０２  ＯＦＤＭ復調装置
１０３  チューナ
１０４  ＭＰＥＧ２デコーダ
１０５  メモリ
１１１  Ａ／Ｄ変換部
１１２  ＦＩＲ型デジタルフィルタ
１１３  セレクタ
１１４  復調処理部
１１５  同期処理部
１１６  誤り訂正処理部
１１７  フレーム同期処理及びＴＭＣＣ検出部
１１８  制御回路
【図１】
2007036684.tif 000003
【図２】
2007036684.tif 000004
【図３】
2007036684.tif 000005
【図４】
2007036684.tif 000006
【図５】
2007036684.tif 000007
【図６】
2007036684.tif 000008
【図７】
2007036684.tif 000009
【図８】
2007036684.tif 000010
【図９】
2007036684.tif 000011
【図１０】
2007036684.tif 000012
【図１１】
2007036684.tif 000013